(57)【要約】  コンテンツ出力装置は、接続部と、出力部と、割当部と、を備えている。接続部は、複数の音響機器と接続する。出力部は、前記接続部を介して、複数チャンネルのコンテンツ信号を、前記複数の音響機器に出力する。割当部は、前記複数の音響機器の数に変更があった場合に、現在接続されている音響機器の数と、出力すべきチャンネルと、変更があった音響機器に対応するチャンネルと、に基づいて、各チャンネルと音響機器との割り当てを行なう。
2018173195.tif 000002
【特許請求の範囲】
【請求項１】
複数の音響機器と接続する接続部と、
前記接続部を介して、複数チャンネルのコンテンツ信号を、前記複数の音響機器に出力する出力部と、
前記複数の音響機器の数に変更があった場合に、現在接続されている音響機器の数と、出力すべきチャンネルと、変更があった音響機器に対応するチャンネルと、に基づいて、各チャンネルと音響機器との割り当てを行なう、割当部と、
を備えたコンテンツ出力装置。
【請求項２】
前記割当部は、前記複数の音響機器のうち接続が解除された音響機器が担当していたチャンネルを、他の音響機器に割り当てる処理を行なう、
請求項１に記載のコンテンツ出力装置。
【請求項３】
前記割当部は、接続が解除された音響機器が担当していたチャンネルがセンタチャンネルであった場合に、左チャンネルおよび右チャンネルを担当する音響機器に前記センタチャンネルのコンテンツ信号を出力する、
請求項２に記載のコンテンツ出力装置。
【請求項４】
前記割当部は、接続が解除された音響機器が担当していたチャンネルがサラウンドチャンネルであった場合に、仮想音像定位処理を行ない、フロントチャンネルを担当する音響機器に前記サラウンドチャンネルのコンテンツ信号を出力する、
請求項２に記載のコンテンツ出力装置。
【請求項５】
前記割当部は、前記複数の音響機器の数が増加した場合に、より多チャンネルの再生が可能であるか否かを判断し、可能であると判断した場合に、該多チャンネルのコンテンツ信号を出力する、
請求項１乃至請求項４のいずれかに記載のコンテンツ出力装置。
【請求項６】
前記割当部は、前記複数の音響機器の数が増加した場合に、それまでの音響機器に割り当てていたチャンネルを別のチャンネルに割り当て直す、
請求項１乃至請求項５のいずれかに記載のコンテンツ出力装置。
【請求項７】
前記接続部に接続される前記複数の音響機器の数に変更があったことを検出する検出部をさらに備えた、
請求項１乃至請求項６のいずれかに記載のコンテンツ出力装置。
【請求項８】
請求項１から７のいずれかに記載のコンテンツ出力装置と、
前記複数の音響機器と、
を備える、
音響システム。
【請求項９】
前記複数の音響機器は、前記コンテンツ出力装置と無線通信を介して接続される無線スピーカからなる、
請求項８に記載の音響システム。
【請求項１０】
複数の音響機器と接続し、
複数チャンネルのコンテンツ信号を、前記複数の音響機器に出力し、
前記複数の音響機器の数に変更があった場合に、現在接続されている音響機器の数と、出力すべきチャンネルと、変更があった音響機器に対応するチャンネルと、に基づいて、各チャンネルと音響機器との割り当てを行なう、
コンテンツ出力方法。
【発明の詳細な説明】
【技術分野】
【０００１】
本発明の一実施形態は、複数チャンネルのコンテンツを出力するコンテンツ出力装置、音響システム、およびコンテンツ出力方法に関する。
【背景技術】
【０００２】
近年、音響システムでは、コンテンツのチャンネル数が増大するとともに、スピーカの数が増大している。【０００３】
そこで、特許文献１には、複数のスピーカに対して自動的にチャンネルの割り当てを行うチャンネル割り当て装置が開示されている。
【先行技術文献】
【特許文献】
【０００４】
【特許文献１】国際公開２００８／１２６１６１号
【発明の概要】
【発明が解決しようとする課題】
【０００５】
スピーカの数は、ユーザの利用状況に応じて増減する可能性がある。例えば、リビングで利用していた複数のスピーカのうち１つのスピーカを寝室に持ち運び、寝室で利用する場合がある。このように、例えば、スピーカの数が減ると、削減されたスピーカが担当していたチャンネルの音を再生することができなくなる。特許文献１の装置は、このようなスピーカの数の増減に関する課題は認識されていない。【０００６】
そこで、本発明の一実施形態の目的は、スピーカの数が変化した場合にも適切にコンテンツの音を出力することができるコンテンツ出力装置、音響システム、およびコンテンツ出力方法を提供することにある。
【課題を解決するための手段】
【０００７】
本発明の一実施形態に係るコンテンツ出力装置は、接続部と、出力部と、割当部と、を備えている。接続部は、複数の音響機器と接続する。出力部は、前記接続部を介して、複数チャンネルのコンテンツ信号を、前記複数の音響機器に出力する。割当部は、前記複数の音響機器の数に変更があった場合に、現在接続されている音響機器の数と、出力すべきチャンネルと、変更があった音響機器に対応するチャンネルと、に基づいて、各チャンネルと音響機器との割り当てを行なう。
【発明の効果】
【０００８】
本発明の一実施形態によれば、スピーカの数が変化した場合にも適切にコンテンツの音を出力することができる
【図面の簡単な説明】
【０００９】
【図１】音響システムの構成を説明するための概念図である。
【図２】無線スピーカの構成を示したブロック図である。
【図３】ＡＶレシーバの構成を示したブロック図である。
【図４】音響機器とチャンネル情報との対応関係を示す図である。
【図５】無線スピーカおよびＡＶレシーバの動作を示すフローチャートである。
【図６】変形例に係る無線スピーカおよびＡＶレシーバの動作を示すフローチャートである。
【図７】ＡＶレシーバの動作を示すフローチャートである。
【図８】図８（Ａ）、図８（Ｂ）および図８（Ｃ）は、無線スピーカの数が変更された場合のチャンネル割り当ての一態様を示す図である。
【図９】図９（Ａ）、図９（Ｂ）および図９（Ｃ）は、無線スピーカの数が変更された場合のチャンネル割り当ての一態様を示す図である。
【図１０】図１０（Ａ）および図１０（Ｂ）は、無線スピーカの数が増加した場合のチャンネル割り当ての一態様を示す図である。
【発明を実施するための形態】
【００１０】
図１は、本発明の一実施形態に係る音響システム１０の構成を説明するための概念図である。図２は、無線スピーカ１１の構成を示したブロック図である。図３は、ＡＶレシーバ３の構成を示したブロック図である。
【００１１】
図１に示すように、音響システム１０は、ＢＤプレーヤ１、ＡＶレシーバ３、および複数の音響機器（無線スピーカ１１、無線スピーカ１２、無線スピーカ１３、無線スピーカ１４、および無線スピーカ１５）を備えている。
【００１２】
ＢＤプレーヤ１は、コンテンツを再生する機器である。ＢＤプレーヤ１は、再生したコンテンツをＡＶレシーバ３に送信する。なお、ＡＶレシーバ３は、ＢＤプレーヤ１からコンテンツを取得する例に限らず、例えばインターネットを介してコンテンツサーバからコンテンツをダウンロードしてもよい。なお、ＢＤプレーヤ１とＡＶレシーバ３とは、有線で接続されてもよいし、無線で接続されていてもよい。また、ＡＶレシーバ３は、ＢＤプレーヤ１の機能を内蔵していてもよい。
【００１３】
複数の音響機器（無線スピーカ１１、無線スピーカ１２、無線スピーカ１３、無線スピーカ１４、および無線スピーカ１５）は、それぞれ異なる位置に配置されている。この例では、聴取位置の正面に無線スピーカ１１が配置され、聴取位置の右前方に無線スピーカ１２が配置され、聴取位置の右後方に無線スピーカ１３が配置され、聴取位置の左後方に無線スピーカ１４が配置され、聴取位置の左前方に無線スピーカ１５が配置されている。
【００１４】
ＡＶレシーバ３は、無線アクセスポイント機能を有するルータ、または自装置が有するルータ機能等を用いて、無線ＬＡＮを構築する。ＡＶレシーバ３は、該無線ＬＡＮを介して、無線スピーカ１１、無線スピーカ１２、無線スピーカ１３、無線スピーカ１４、および無線スピーカ１５と接続する。なお、音響機器の数および配置は、ユーザの使用状況に応じて適宜変更可能である。
【００１５】
ＡＶレシーバ３は、本発明のコンテンツ出力装置に相当する。ＡＶレシーバ３は、複数チャンネルのコンテンツを出力する。本実施形態において、コンテンツは、例えば、マルチチャンネルのオーディオデータである。本発明のコンテンツ出力装置は、ＡＶレシーバ３以外にも、例えばＣＰＵまたはＤＳＰを備えるスピーカでもよい。あるいは、コンテンツ出力装置は、パーソナルコンピュータ等の情報処理装置により、実現可能である。
【００１６】
図２は、無線スピーカ１１の構成を示すブロック図である。無線スピーカ１１、無線スピーカ１２、無線スピーカ１３、無線スピーカ１４、および無線スピーカ１５は、同じ構成および機能を有する。そのため、図２においては、無線スピーカ１１を例として説明する。
【００１７】
無線スピーカ１１は、ＣＰＵ２１、通信部２４、ＲＡＭ２５、ＤＳＰ２６、ＲＯＭ２７、およびスピーカ２８を備えている。
【００１８】
通信部２４は、例えばＷｉ−Ｆｉ規格に準じた無線通信部である。通信部２４は、不図示の無線アクセスポイント機能付のルータを介してＡＶレシーバ３と通信する。または、通信部２４は、ＡＶレシーバ３と直接通信する。
【００１９】
ＲＯＭ２７は、記憶媒体であり、ＣＰＵ２１の動作用プログラムを記憶する。ＣＰＵ２１は、ＲＯＭ２７に記憶されているプログラムをＲＡＭ２５に読み出して実行することにより、各種の処理を行なう。例えば、ＣＰＵ２１は、通信部を介してＡＶレシーバ３から受信したコンテンツの信号をＤＳＰ２６に入力する。ＤＳＰ２６は、入力された信号に各種の信号処理を施す。また、ＤＳＰ２６は、コンテンツの信号として、エンコードされたデータを受信した場合には、該エンコードされたデータをデコードして、オーディオ信号を取り出す。
【００２０】
ＣＰＵ２１は、ＤＳＰ２６で処理された後の信号をスピーカ２８に入力する。なお、図示は省略するが、スピーカ２８は、デジタルのオーディオ信号をアナログのオーディオ信号に変換するＤ／Ａコンバータおよびオーディオ信号を増幅するアンプを含む。スピーカ２８は、入力された信号に基づく音を出力する。
【００２１】
図３は、ＡＶレシーバ３の構成を示すブロック図である。ＡＶレシーバ３は、ＣＰＵ３１、コンテンツ入力部３２、ＲＡＭ３３、通信部３４、ＲＯＭ３５、およびＤＳＰ３６を備えている。
【００２２】
通信部３４は、例えばＷｉ−Ｆｉ規格に準じた無線通信部である。通信部３４は、不図示の無線アクセスポイント付ルータを介して無線スピーカ１１、無線スピーカ１２、無線スピーカ１３、無線スピーカ１４、および無線スピーカ１５と通信する。または、通信部２４は、無線スピーカ１１、無線スピーカ１２、無線スピーカ１３、無線スピーカ１４、および無線スピーカ１５と直接通信する。
【００２３】
ＲＯＭ３５は、記憶媒体であり、ＣＰＵ３１の動作用プログラムを記憶する。ＣＰＵ３１は、ＲＯＭ３５に記憶されているプログラムをＲＡＭ３３に読み出して実行することにより、各種の処理を行なう。
【００２４】
例えば、ＣＰＵ３１は、コンテンツ入力部３２から入力したコンテンツの信号をＤＳＰ３６に入力する。ＤＳＰ３６は、入力された信号に各種の信号処理を施す。また、ＤＳＰ３６は、コンテンツの信号として、エンコードされたデータを受信した場合には、該エンコードされたデータをデコードして、オーディオ信号を取り出す。
【００２５】
ＣＰＵ３１は、上記プログラムにより、本発明の割当部３１１を実現する。また、ＣＰＵ３１は、接続されているスピーカの数に変更があった旨を検出する検出部を実現する。
【００２６】
図４は、ＡＶレシーバ３のメモリ（ＲＡＭ３３またはＲＯＭ３５）に記憶される無線スピーカ１１、無線スピーカ１２、無線スピーカ１３、無線スピーカ１４、および無線スピーカ１５に割り当てるコンテンツのチャンネルの一例を示す表である。
【００２７】
ＣＰＵ３１は、無線スピーカ１１、無線スピーカ１２、無線スピーカ１３、無線スピーカ１４、および無線スピーカ１５のそれぞれについてチャンネルを割り当てる。ＣＰＵ３１のうち割当部３１１がチャンネルを割り当てる機能を担っている。
【００２８】
図４に示すように、無線スピーカ１１、無線スピーカ１２、無線スピーカ１３、無線スピーカ１４、および無線スピーカ１５には、それぞれＩＰアドレス（ローカルＩＰアドレス）が割り当てられる。ＩＰアドレスは、ルータが割り当てるが、ＡＶレシーバ３が割り当ててもよい。ルータが割り当てる場合には、ＡＶレシーバ３は、該ルータからＩＰアドレスの情報を取得する。
【００２９】
無線スピーカ１１、無線スピーカ１２、無線スピーカ１３、無線スピーカ１４、および無線スピーカ１５は、それぞれ固有の個体識別情報であるＭＡＣアドレスを有する。なお、個体識別情報は、他にもシリアル番号またはＩＤ番号等、無線スピーカの固有の識別情報であれば、どの様なものであってもよい。ＩＰアドレスとＭＡＣアドレスとは、予め対応付けられ、ＡＶレシーバ３のメモリに記憶されている。ＡＶレシーバ３にＭＡＣアドレスが記憶されている場合、無線スピーカ（例えば無線スピーカ１１）が一旦ネットワーク内から削除された後に、再びネットワークに接続された場合に、該接続された無線スピーカからＭＡＣアドレスを受信することで、接続された無線スピーカを識別して、該無線スピーカに割り当てていたチャンネルを知ることができる。ただし、ＭＡＣアドレスは、本発明において必須の要素ではない。
【００３０】
この例では、割当部３１１は、無線スピーカ１１にＣチャンネル、無線スピーカ１２にＦＲチャンネル、無線スピーカ１３にＳＲチャンネル、無線スピーカ１４にＳＬチャンネル、および無線スピーカ１５にＦＬチャンネルを割り当てている。
【００３１】
これらの割り当ての指示は、例えばユーザがＡＶレシーバ３を操作して設定する。あるいは、ＡＶレシーバ３にネットワークを介して接続されるスマートフォン等の情報処理装置を用いてユーザが設定する。
【００３２】
ＣＰＵ３１は、無線スピーカ１１、無線スピーカ１２、無線スピーカ１３、無線スピーカ１４、および無線スピーカ１５のそれぞれに対して、割り当てたチャンネルの信号を送信する。
【００３３】
これにより、各無線スピーカに割り当てられたチャンネルのコンテンツが配信される。各無線スピーカは、配信されたチャンネルに対応するコンテンツに係る音を再生する。
【００３４】
そして、ＡＶレシーバ３は無線スピーカの数に変更があった場合に、現在接続されている音響機器の数と、出力すべきチャンネルと、変更があった音響機器に対応するチャンネルと、に基づいて、各チャンネルと音響機器との割り当てを行なう。
【００３５】
図５および図６は、無線スピーカおよびＡＶレシーバ３レシーバの動作を示すフローチャートであり、図７は、ＡＶレシーバ３の割り当て動作を示すフローチャートである。図８（Ａ）、図８（Ｂ）および図８（Ｃ）は、無線スピーカの数が変更された場合のチャンネル割り当ての一態様を示す図である。
【００３６】
まず、無線スピーカ１１およびＡＶレシーバ３は、無線ＬＡＮを介して互いに接続する（Ｓ１１，Ｓ２１）。ＡＶレシーバ３は、図４に示したように、接続されている無線スピーカ毎にチャンネルを割り当てる（Ｓ２２）。そして、ＡＶレシーバ３は、無線スピーカにコンテンツを配信する（Ｓ２３）。
【００３７】
無線スピーカは、コンテンツを受信し（Ｓ１２）、該コンテンツを再生する（Ｓ１３）。例えば、図８（Ａ）に示すように、無線スピーカ１１はＣチャンネル、無線スピーカ１２はＦＲチャンネル、無線スピーカ１３はＳＲチャンネル、無線スピーカ１４はＳＬチャンネル、および無線スピーカ１５はＦＬチャンネルのコンテンツを受信し、再生する。なお、図６に示すように、ＡＶレシーバ３は、Ｓ２２においてチャンネル設定した後に、無線スピーカ１１に対してチャンネル情報を送信してもよい（Ｓ１０３）。この場合、無線スピーカ１１は、該チャンネル情報を受信する（Ｓ１０２）。そして、ＡＶレシーバ３は、Ｓ２３において、全チャンネルのコンテンツをブロードキャストで配信する。無線スピーカ１１は、Ｓ１０２で受信したコンテンツ情報に基づいて、Ｓ１３において、対応するチャンネルを取り出し再生する。
【００３８】
ＡＶレシーバ３は、検出部の機能として、接続されているスピーカの数に変更があったか否かを判定する（Ｓ２４）。ＡＶレシーバ３は、例えば無線スピーカと定期的に接続確認を行なうことで、接続されているスピーカの数に変更があったか否かを判定することができる。あるいは、ＡＶレシーバ３は、ルータを介して無線スピーカと接続している場合には、ルータから現在の接続機器の情報（例えばＩＰアドレスの一覧等）を受信することでも、接続されているスピーカの数に変更があったか否かを判定することができる。また、ユーザが手動でスピーカの数に変更があった旨を入力してもよい。
【００３９】
ＡＶレシーバ３は、スピーカの数に変更があった場合、現在接続されている音響機器の数と、出力すべきチャンネルと、変更があった音響機器に対応するチャンネルと、に基づいて、各チャンネルと音響機器との割り当てを行なう（Ｓ２５）。
【００４０】
図７は、Ｓ２５における割り当て動作の詳細フローチャートである。まず、ＡＶレシーバ３は、スピーカの数が増加したか、減少したか、を判断する（Ｓ５０）。スピーカの数が減少した場合、減少したスピーカが担当していたチャンネルを他のスピーカで代替可能であるか否かを判断する（Ｓ５１）。ＡＶレシーバ３は、代替可能と判断した場合には、チェンネル割り当てを変更する（Ｓ５２）。
【００４１】
例えば、図８（Ａ）の例では、出力すべきチャンネルは、Ｃチャンネル、ＦＬチャンネル、ＦＲチャンネル、ＳＬチャンネルおよびＳＲチャンネルの５チャンネルである。ここで、図８（Ｂ）に示すように、無線スピーカ１１の接続が解除されると、現在接続されている無線スピーカの数は４つとなり、Ｃチャンネルに対応付けられていた無線スピーカ１１との接続が途切れた状態となる。そこで、ＡＶレシーバ３は、図８（Ｃ）に示すように、Ｃチャンネルのコンテンツを無線スピーカ１２および無線スピーカ１５に配信するように、無線スピーカ１２および無線スピーカ１５に、それぞれＦＲチャンネルおよびＦＬチャンネルに加えて、Ｃチャンネルも割り当てる。
【００４２】
これにより、ユーザは、ＡＶレシーバ３に接続される無線スピーカの構成が変わった場合でも、手動で設定し直す必要がない。例えば、無線スピーカに不具合が生じた場合、またはネットワーク障害により一部の無線スピーカが再生を継続できなくなった場合でも、ＡＶレシーバ３は、残りの無線スピーカを用いて、接続が途切れた音響機器の担当チャンネルを再生させることができ、特定のチャンネルを欠落させることがない。
【００４３】
また、無線スピーカの様に携帯性が高いスピーカの場合、ユーザが無線スピーカを別の部屋等に持ち運んで単独で使う場合（ネットワークに接続されない状態で使う場合、または別のコンテンツを再生させて使う場合）があり、音響機器の無線スピーカの構成が頻繁に変更される場合がある。例えば、あるユーザがリビングで映画のコンテンツ（５チャンネルのオーディオ信号を含むコンテンツ）を視聴していた場合に、Ｃチャンネルを担当していた無線スピーカを該ユーザの家族が持ち出す場合がある。しかし、ＡＶレシーバ３は、残りの無線スピーカを用いて、Ｃチャンネルを再生させることができ、Ｃチャンネルを欠落させることがない。
【００４４】
ただし、本発明の音響機器は、無線スピーカに限定されるものではない。有線スピーカも本発明の音響機器の一例である。さらには、ＡＶレシーバ３以外のレシーバまたはスマートフォン等の情報処理装置も、本発明の音響機器の一例である。
【００４５】
また、ＡＶレシーバ３は、図７のＳ５０の判断において、スピーカの数が増加したと判断した場合、より多チャンネルの再生が可能であるか否かを判断する（Ｓ５３）。ＡＶレシーバ３は、より多チャンネルの再生が可能であると判断した場合、チャンネル割り当てを変更する（Ｓ５２）。例えば、増加したスピーカに対して、過去にいずれかのチャンネルを割り当てていた場合には、該スピーカにチャンネルを割り当て直すことで、現在よりも多チャンネルの再生を実現することができる。
【００４６】
例えば、家族が他の部屋から無線スピーカ１１を再びリビングに持ち帰り、ＡＶレシーバ３に接続する場合がある。ＡＶレシーバ３は、無線スピーカ１１が接続されたとき、メモリに記憶されている対応テーブル（図４を参照）を読み出して、該対応テーブルにしたがって、該無線スピーカ１１にＣチャンネルを割り当て、無線スピーカ１２にＦＲチャンネル、無線スピーカ１５にＦＬチャンネルを割り当てる。
【００４７】
この様にして、ＡＶレシーバ３は、過去に割り当てていたＣチャンネルのコンテンツを無線スピーカ１１に送信することで、より多チャンネルの再生を行なうことができる。なお、ＡＶレシーバ３は、接続された無線スピーカのＭＡＣアドレスを受信することで、接続された無線スピーカを識別することができ、図４に示した様な対応テーブルをメモリから読み出すことで、過去に割り当てていたチャンネルを判定することができる。
【００４８】
ＡＶレシーバ３は、より多チャンネルの再生ができないと判断した場合（例えば、接続された無線スピーカの固有識別情報を取得することができない場合、あるいは、過去に割り当てたチャンネルが存在しない場合）、接続案内を行ない、現在の状態を継続する（Ｓ５４）。ＡＶレシーバ３は、接続案内として、例えば、表示部（不図示）に、「新しいスピーカが接続されたため、チャンネル設定を行なってください。」等の表示を行なう。あるいは、ＡＶレシーバ３は、スマートフォン等の情報処理装置において実行されるプログラムを用いて、該案内表示を行なう。
【００４９】
なお、新たに接続するスピーカに予めスピーカにチャンネルが設定されている場合、あるいは、ユーザが、スピーカに設けられた物理的なボタンでチャンネルを設定したり、スマートフォン等の情報処理装置のアプリケーションプログラムを用いて外部からチャンネルを設定したりする等して、新たに接続するスピーカに対して、接続前にチャンネル情報を設定しておくことも可能である。この場合、ＡＶレシーバ３は、上記Ｓ５３の処理において、より多チャンネルの再生が可能であると判断して、チャンネル割り当てを変更してもよい。
【００５０】
一方、ＡＶレシーバ３は、図７のＳ５０の判断において、スピーカの数が減少したと判断し、かつＳ５１において代替可能チャンネルがないと判断した場合に、さらに仮想音像定位により、減少したチャンネルの音を再生可能であるか否かを判断する（Ｓ５５）。ＡＶレシーバ３は、仮想音像定位が可能であると判断した場合、該仮想音像定位を行なう（Ｓ５６）。
【００５１】
例えば、図９（Ａ）の例では、出力すべきチャンネルは、Ｃチャンネル、ＦＬチャンネル、ＦＲチャンネル、ＳＬチャンネルおよびＳＲチャンネルの５チャンネルである。ここで、図９（Ｂ）に示すように、無線スピーカ１３および無線スピーカ１４の接続が解除されると、現在接続されている無線スピーカの数は３つとなる。ＡＶレシーバ３は、現在接続されている３つの無線スピーカは、全てフロント側に設置されるスピーカでえあるため、代替再生が不可能であると判断する。そして、ＡＶレシーバ３は、ＦＬチャンネルの無線スピーカ１５およびＦＲチャンネルの無線スピーカ１２を用いて、ＳＬチャンネルおよびＳＲチャンネルの仮想音像定位が可能であると判断し、仮想音像定位処理を行なう。
【００５２】
仮想音像定位は、音源位置と聴者の耳との間の伝達関数を示す頭部伝達関数（以下、ＨＲＴＦと称す。）を用いる。ＨＲＴＦは、ある位置に設置した仮想スピーカからそれぞれ左右の耳に至る音の大きさ、到達時間、および周波数特性等を表現したインパルス応答である。ＡＶレシーバ３は、ＦＲチャンネルおよびＦＬチャンネルのオーディオ信号に、ＳＲチャンネルおよびＳＬチャンネルのオーディオ信号を加算するとともに、該ＳＲチャンネルおよびＳＬチャンネルのオーディオ信号に、各音源位置から左右の耳に至るＨＲＴＦを付与する。これにより、図９（Ｃ）に示すように、ＳＬチャンネルおよびＳＲチャンネルのコンテンツを仮想音像定位させることができる。
【００５３】
一方で、ＡＶレシーバ３は、図７のＳ５５の判断において、付与すべきＨＲＴＦが用意されていない場合等により、仮想音像定位も不可能であると判断した場合、警告を行ない、現在の状態を継続する（Ｓ５７）。例えば、ＡＶレシーバ３は、表示部（不図示）に、「特定のチャンネルが再生できません。」等の表示を行なう。あるいは、ＡＶレシーバ３は、スマートフォン等の情報処理装置において実行されるプログラムを用いて、該警告を行ってもよい。
【００５４】
なお、ＡＶレシーバ３は、スピーカの数が増える場合には、図１０（Ａ）および図１０（Ｂ）に示すようにスピーカの数が増加した場合に、それまでの音響機器に割り当てていたチャンネルを別のチャンネルに割り当て直す場合もある。
【００５５】
例えば、図１０（Ａ）に示す様に、ＡＶレシーバ３は、フロントトップＲ（ＦＴＲ）チャンネルの無線スピーカ１６およびフロントトップＬ（ＦＴＬ）チャンネルの無線スピーカ１７に接続されている場合において、図１０（Ｂ）に示すように、新たに２つの無線スピーカ１８および無線スピーカ１９を接続した場合に、それまでの音響機器に割り当てていたチャンネルを別のチャンネルに割り当て直す場合もある。例えば、ＡＶレシーバ３は、ユーザから、新たに２つの無線スピーカ１８および無線スピーカ１９に対して、リアハイトＬ（ＲＨＬ）チャンネルおよびリアハイトＲ（ＲＨＲ）チャンネルを割り当てる設定を受け付ける。また、ＡＶレシーバ３は、無線スピーカ１６および無線スピーカ１７に割り当てていたチャンネルを、ＦＴＲチャンネルからフロントハイトＲ（ＦＨＲ）チャンネルに、ＦＴＬチャンネルからフロントハイトＬ（ＦＨＬ）チャンネルに変更する。
【００５６】
最後に、本実施形態の説明は、すべての点で例示であって、制限的なものではないと考えられるべきである。本発明の範囲は、上述の実施形態ではなく、特許請求の範囲によって示される。さらに、本発明の範囲は、特許請求の範囲と均等の範囲を含む。
【符号の説明】
【００５７】
１…ＢＤプレーヤ
３…ＡＶレシーバ
１０…音響システム
１１，１２，１３，１４，１５，１６，１７，１８…無線スピーカ
２１…ＣＰＵ
２４…通信部
２５…ＲＡＭ
２６…ＤＳＰ
２７…ＲＯＭ
２８…スピーカ
３１…ＣＰＵ
３２…コンテンツ入力部
３３…ＲＡＭ
３４…通信部
３５…ＲＯＭ
３６…ＤＳＰ
３１１…割当部
【図１】
2018173195.tif 000003
【図２】
2018173195.tif 000004
【図３】
2018173195.tif 000005
【図４】
2018173195.tif 000006
【図５】
2018173195.tif 000007
【図６】
2018173195.tif 000008
【図７】
2018173195.tif 000009
【図８】
2018173195.tif 000010
【図９】
2018173195.tif 000011
【図１０】
2018173195.tif 000012
【手続補正書】
【提出日】令和1年8月1日(2019.8.1)
【手続補正１】
【補正対象書類名】特許請求の範囲
【補正対象項目名】全文
【補正方法】変更
【補正の内容】
【特許請求の範囲】
【請求項１】
複数の音響機器と接続する接続部と、
前記接続部を介して、複数チャンネルのコンテンツ信号を、前記複数の音響機器に出力する出力部と、
前記複数の音響機器の数に変更があった場合に、現在接続されている音響機器の数と、出力すべきチャンネルと、変更があった音響機器に対応するチャンネルと、に基づいて、各チャンネルと音響機器との割り当てを行なう、割当部と、
を備えたコンテンツ出力装置。
【請求項２】
前記割当部は、前記複数の音響機器のうち接続が解除された音響機器が担当していたチャンネルを、他の音響機器に割り当てる処理を行なう、
請求項１に記載のコンテンツ出力装置。
【請求項３】
前記割当部は、接続が解除された音響機器が担当していたチャンネルがセンタチャンネルであった場合に、左チャンネルおよび右チャンネルを担当する音響機器に前記センタチャンネルのコンテンツ信号を出力する、
請求項２に記載のコンテンツ出力装置。
【請求項４】
前記割当部は、接続が解除された音響機器が担当していたチャンネルがサラウンドチャンネルであった場合に、仮想音像定位処理を行ない、フロントチャンネルを担当する音響機器に前記サラウンドチャンネルのコンテンツ信号を出力する、
請求項２に記載のコンテンツ出力装置。
【請求項５】
前記割当部は、前記複数の音響機器の数が増加した場合に、より多チャンネルの再生が可能であるか否かを判断し、可能であると判断した場合に、該多チャンネルのコンテンツ信号を出力する、
請求項１乃至請求項４のいずれかに記載のコンテンツ出力装置。
【請求項６】
前記割当部は、前記複数の音響機器の数が増加した場合に、それまでの音響機器に割り当てていたチャンネルを別のチャンネルに割り当て直す、
請求項１乃至請求項５のいずれかに記載のコンテンツ出力装置。
【請求項７】
前記接続部に接続される前記複数の音響機器の数に変更があったことを検出する検出部をさらに備えた、
請求項１乃至請求項６のいずれかに記載のコンテンツ出力装置。
【請求項８】
請求項１から７のいずれかに記載のコンテンツ出力装置と、
前記複数の音響機器と、
を備える、
音響システム。
【請求項９】
前記複数の音響機器は、前記コンテンツ出力装置と無線通信を介して接続される無線スピーカからなる、
請求項８に記載の音響システム。
【請求項１０】
複数の音響機器と接続し、
複数チャンネルのコンテンツ信号を、前記複数の音響機器に出力し、
前記複数の音響機器の数に変更があった場合に、現在接続されている音響機器の数と、出力すべきチャンネルと、変更があった音響機器に対応するチャンネルと、に基づいて、各チャンネルと音響機器との割り当てを行なう、
コンテンツ出力方法。
【請求項１１】
前記複数の音響機器のうち接続が解除された音響機器が担当していたチャンネルを、他の音響機器に割り当てる処理を行なう、
請求項１０に記載のコンテンツ出力方法。
【請求項１２】
接続が解除された音響機器が担当していたチャンネルがセンタチャンネルであった場合に、左チャンネルおよび右チャンネルを担当する音響機器に前記センタチャンネルのコンテンツ信号を出力する、
請求項１１に記載のコンテンツ方法。
【請求項１３】
接続が解除された音響機器が担当していたチャンネルがサラウンドチャンネルであった場合に、仮想音像定位処理を行ない、フロントチャンネルを担当する音響機器に前記サラウンドチャンネルのコンテンツ信号を出力する、
請求項１１に記載のコンテンツ出力方法。
【請求項１４】
前記複数の音響機器の数が増加した場合に、より多チャンネルの再生が可能であるか否かを判断し、可能であると判断した場合に、該多チャンネルのコンテンツ信号を出力する、
請求項１０乃至請求項１３のいずれかに記載のコンテンツ出力方法。
【請求項１５】
前記複数の音響機器の数が増加した場合に、それまでの音響機器に割り当てていたチャンネルを別のチャンネルに割り当て直す、
請求項１０乃至請求項１４のいずれかに記載のコンテンツ出力方法。
【請求項１６】
前記複数の音響機器の数に変更があったことを検出する、
請求項１０乃至請求項１５のいずれかに記載のコンテンツ出力方法。
【国際調査報告】
2018173195.tif 000013
2018173195.tif 000014